(57)【要約】  本発明のモノポールアンテナ（１４Ａ）は超広帯域を有し、反射係数Ｓ１１が−６ｄＢ未満の予め決められた周波数帯域であるＦＭ帯域で、少なくとも周波数変調信号を受信および／または送信可能であるように構成されている。モノポールアンテナ（１４Ａ）は、超広帯域タイプである場合、携帯電話、Ｗｉ−Ｆｉ、ＴＶまたはＤＡＢ（デジタル音声放送）等の各種用途の使用を可能にする。本発明は、また、車両用のプラスチック材料の要素と、このプラスチック材料の要素に取り付けられるモノポールアンテナ（１４Ａ）とからなるアンテナアセンブリを提供する。アンテナアセンブリは、少なくとも１つのモノポールアンテナを備えればよく、２つ、３つのモノポールアンテナ（１４Ａ）を備えていてもよい。本発明は、また、上記のような少なくとも１つのモノポールアンテナ（１４Ａ）または上記のようなアンテナアセンブリを含む車両を提供する。
2010119746.tif 000002
【特許請求の範囲】
【請求項１】
超広帯域を有し、反射係数Ｓ１１が−６ｄＢ未満の予め決められた周波数帯域であるＦＭ帯域で、少なくとも周波数変調信号を受信および／または送信可能であるように構成されている、モノポールアンテナ。
【請求項２】
超広帯域は、帯域の中心周波数の２０％に等しい値の中の最小値、または５００ＭＨｚよりも帯域幅が大きい帯域を有する、請求項１に記載のモノポールアンテナ。
【請求項３】
ＦＭ帯域の共振周波数および／またはＦＭ帯域の帯域幅を予め決定可能な、ＦＭ帯域の予備決定手段を含む、請求項１または２に記載のモノポールアンテナ。
【請求項４】
ＦＭ帯域の共振周波数および／またはＦＭ帯域の帯域幅を調整可能な、ＦＭ帯域の調整手段を含む、請求項１または２に記載のモノポールアンテナ。
【請求項５】
平面である導電性支持体を有する放射手段を含む、請求項１から４のいずれか一項に記載のモノポールアンテナ。
【請求項６】
導電性支持体が外側輪郭により画定されており、前記モノポールアンテナが、
導電性支持体に設けられて、共振用の内側輪郭により画定される開口部と、
導電性支持体に設けられて、開口部の共振用の内側輪郭と導電性支持体の外側輪郭とを結合する輪郭により画定される穴とを含む、請求項５に記載のモノポールアンテナ。
【請求項７】
予備決定手段または調整手段が、向かい合った穴の輪郭の２つの部分を結合するコンデンサを含む、請求項６に記載のモノポールアンテナ。
【請求項８】
穴の輪郭に結合される供給ポートを備えた、モノポールアンテナの接続手段を含む、請求項６または７に記載のモノポールアンテナ。
【請求項９】
支持体の外形寸法が、０．１ｍ２より大きい、請求項５から８のいずれか一項に記載のモノポールアンテナ。
【請求項１０】
支持体の外形寸法が、０．０６ｍ２より小さい、請求項５から８のいずれか一項に記載のモノポールアンテナ。
【請求項１１】
車両用のプラスチック材料の要素と、このプラスチック材料の要素に取り付けられる請求項１から１０のいずれか一項に記載のモノポールアンテナとを備えるアンテナアセンブリ。
【請求項１２】
請求項１から１０のいずれか一項に記載の少なくとも１つのモノポールアンテナまたは請求項１１に記載のアンテナアセンブリを含む車両。
【発明の詳細な説明】
【技術分野】
【０００１】
本発明は、アンテナの分野に関する。【０００２】
本発明は、特に、自動車の分野で使用されるアンテナに関する。
【背景技術】
【０００３】
無線アンテナと呼ばれる自動車用のアンテナが知られている。このタイプのアンテナの効率は比較的良好（７０％以上）であるが、見栄えは比較的良くない。さらに、このアンテナは、悪意によって容易に損傷を受けやすく、高速走行時には騒音を生じる可能性があり、無線周波数に対応する８７〜１０８ＭＨｚの範囲に限定された帯域幅でしか性能を発揮しない。【０００４】
ところで、電磁スペクトルは、各種の用途専用の複数の周波数帯域を含んでいる。欧州では、たとえば、８８〜１０８ＭＨｚの帯域はラジオ用途の専用であり、一方で、４７０〜８６２ＭＨｚの帯域はテレビ用途の専用等とされている。【０００５】
今後は、自動車の内部で多数の用途（ＴＶ、Ｗｉ−Ｆｉ、携帯電話など）が利用できるようになる。しかし、特許文献１に記載されたような無線アンテナは、ＦＭ帯域に限定された周波数範囲で性能が良くても、他の周波数範囲では性能が劣るので、自動車内での他の用途のアンテナとして性能が十分ではない。
【先行技術文献】
【特許文献】
【０００６】
【特許文献１】特開平４−２６０８８３号公報
【発明の概要】
【発明が解決しようとする課題】
【０００７】
本発明の目的は、車両内部で多数の用途を利用可能にするアンテナを提供することにある。
【課題を解決するための手段】
【０００８】
このため、本発明は、超広帯域を有し、反射係数が−６ｄＢ未満の予め決められた周波数帯域であるＦＭ帯域で、少なくとも周波数変調信号を受信および／または送信可能であるように構成された、モノポールアンテナの提供を目的とする。【０００９】
超広帯域アンテナとは、帯域の中心周波数の２０％に等しい値の中の最小値、または５００ＭＨｚよりも帯域幅が大きい帯域を有するアンテナとして定義する。【００１０】
アンテナの性能を測定するために、Ｓ１１と呼ばれるパラメータを使用する。パラメータＳ１１は、アンテナの反射係数を示す。Ｓ１１＝０ｄＢの場合、全てのパワーはアンテナによって反射され、アンテナからはパワーが全く送られない。Ｓ１１＝−１０ｄＢの場合、９０％のパワーがアンテナから送られ、１０％のパワーが反射される。そのため、所定の周波数帯域でアンテナの性能を良くするには、パラメータＳ１１が代数値でできるだけ小さく、絶対値でできるだけ大きいことが望ましい。従って、所定の周波数でＳ１１＝−４０ｄＢのパラメータを有するアンテナは、この同じ周波数でＳ１１＝−１０ｄＢを有するアンテナよりも性能が良い。アンテナは、パラメータＳ１１が所定の周波数範囲でほぼ性能閾値未満であるか、この性能閾値に等しい場合、所定の周波数範囲において性能が良いとみなされる。その場合、パラメータＳ１１は、この周波数範囲に対応する周波数帯域を有する。一般に、性能閾値は−６ｄＢである。【００１１】
モノポールアンテナは、超広帯域タイプである場合、携帯電話、Ｗｉ−Ｆｉ、ＴＶまたはＤＡＢ（Ｄｉｇｉｔａｌ  Ａｕｄｉｏ  Ｂｒｏａｄｃａｓｔｉｎｇすなわちデジタル音声放送）等の各種用途の使用を可能にする。アンテナは、また、ＦＭ帯域でも高性能であるので、車内ラジオ用にも使うことができる。【００１２】
１つの実施形態では、モノポールアンテナは、ＦＭ帯域の共振周波数および／またはＦＭ帯域の帯域幅を予め決定可能な、ＦＭ帯域の予備決定手段を含んでいる。【００１３】
このような予備決定手段は、モノポールアンテナの製造時にＦＭ帯域の共振周波数および／または帯域幅を調整可能にしている。これらの予備決定手段は、アンテナが使用される様々な地理的ゾーンにアンテナを適合させることができる。実際、ＦＭ帯域は、地理的ゾーンに応じて多少とも狭いことがあるので、こうした地理的ゾーンに応じて、比較的狭いＦＭ帯域でアンテナ性能を優先させるか、あるいは、性能はそれほど良くないが比較的広いＦＭ帯域で十分に良好なアンテナ性能を優先させることができる。【００１４】
他の実施形態では、モノポールアンテナは、ＦＭ帯域の共振周波数および／またはＦＭ帯域の帯域幅を調節可能なＦＭ帯域の調整手段を含んでいる。【００１５】
このような調整手段は、モノポールアンテナのユーザが共振周波数とＦＭ帯域幅とを変更可能なタイプのアンテナだけを商品化可能にするものである。調整手段は、また、ＦＭ帯域が異なる様々な地理的ゾーンでのアンテナの使用を可能にする。【００１６】
モノポールアンテナの任意の特徴によれば、モノポールアンテナは、好適には平面である導電性支持体を有する放射手段を含んでいる。【００１７】
導電性支持体は外側輪郭により画定されており、前記モノポールアンテナが、
導電性支持体に設けられて、共振用の内側輪郭により画定される開口部と、
導電性支持体に設けられて、開口部の共振用の内側輪郭と導電性支持体の外側輪郭とを結合する輪郭により画定される穴とを含んでいる。【００１８】
共振用の内側輪郭は、共振周囲長を有する。モノポールアンテナを流れる電流は、この輪郭を使用する。周囲長の値、従って共振輪郭の構成を適切に選択することによって、ＦＭ帯域におけるアンテナ性能を改善できる。この輪郭は、一般に円形、多角形、または楕円形とすることができる。【００１９】
開口部と穴は、平面の支持体を含むモノポールアンテナを保持しながら、折り畳みアンテナと同様の送信特性および／または受信特性を得ることを可能にする。【００２０】
ＦＭ帯域の予備決定手段または調整手段は、向かい合った穴の輪郭の２つの部分を結合するコンデンサを含んでいる。【００２１】
コンデンサは、モノポールアンテナの共振周囲長を延長することができ、従って、ＦＭ帯域における性能を改善することができる。【００２２】
モノポールアンテナは、穴の輪郭に結合される供給ポートを備えた、モノポールアンテナの接続手段を含んでいる。【００２３】
接続手段の位置によって、予め決められた所望のアンテナインピーダンスが得られる。好適には、このインピーダンスは、同軸ケーブルのインピーダンスにほぼ等しく、すなわち５０Ωである。【００２４】
１つの実施形態では、支持体の外形寸法が、０．１ｍ２より大きいことが好ましく、０．１５ｍ２より大きいことがより好ましく、０．１８ｍ２より大きいことがより好ましい。【００２５】
外形寸法は、支持体の最大垂直寸法の積に対応する。【００２６】
他の実施形態では、支持体の外形寸法が、０．０６ｍ２より小さいことが好ましく、０．０４ｍ２より小さいことがより好ましく、０．０３ｍ２より小さいことがより好ましい。【００２７】
特に外形寸法または見栄え上の理由から、比較的小型サイズのモノポールアンテナを使用することが望ましい場合がある。本発明によるモノポールアンテナによって、超広帯域であってＦＭ帯域で性能が良く、しかも比較的小型のモノポールアンテナが使用可能になる。【００２８】
さらに、モノポールアンテナが小型であるので、複数のモノポールアンテナを使用することができる。こうした複数アンテナは、単一アンテナに比べて、結果として得られる総合アンテナの方向ダイバーシチおよび空間ダイバーシチを改善する。このようなダイバーシチの改善によって、モノポールアンテナの性能を高めることができる。【００２９】
本発明は、また、車両用のプラスチック材料の要素と、このプラスチック材料の要素に取り付けられるモノポールアンテナとを備えるアンテナアセンブリの提供を目的とする。アンテナアセンブリは、少なくとも１つのモノポールアンテナを備えればよく、２つ、３つのモノポールアンテナを備えていてもよい。【００３０】
本発明は、また、上記のような少なくとも１つのモノポールアンテナまたは上記のようなアンテナアセンブリを含む車両の提供を目的とする。
【図面の簡単な説明】
【００３１】
本発明は、添付図面を参照しながらなされた、限定的ではなく例としてのみ挙げられた以下の説明を読めば、いっそう理解されるであろう。
【図１】第１の実施形態によるアンテナを含む車両を示す図である。
【図２】図１の車両のスポイラを示す概略的な斜視図である。
【図３】図１のアンテナの支持体を示す図である。
【図４】第２の実施形態による複数のアンテナを含む車両を示す図である。
【図５】図４のアンテナの１つを示す図である。
【図６】図５のゾーンＶＩを示す拡大図である。
【図７】第３の実施形態によるアンテナに関する図５と同様の図である。
【図８】第３の実施形態によるアンテナに関する図６と同様の図である。
【図９】様々なタイプのアンテナに対して周波数に応じた性能パラメータの変動を示すグラフである。
【図１０】様々なタイプのアンテナに対して周波数に応じた性能パラメータの変動を示すグラフである。
【図１１】様々なタイプのアンテナに対して周波数に応じた性能パラメータの変動を示すグラフである。
【図１２】様々なタイプのアンテナに対して周波数に応じた性能パラメータの変動を示すグラフである。
【発明を実施するための形態】
【００３２】
これらの図の幾つかでは、車両の従来の横断方向、長手方向、および垂直方向に対応する直交座標Ｘ、Ｙ、Ｚを示した。
【００３３】
図１では、自動車を全体として参照符号１０を付けて示した。自動車は、アンテナ１４Ａを含む、たとえば補強ポリプロピレン等のプラスチック材料からなる部品１２を含んでいる。この場合、部品１２は、スポイラまたは後部フィンである。アンテナ１４Ａは部品１２にたとえば貼り合わせにより取り付けられ、１つまたは複数の塗装層の下に隠される。変形実施形態では、部品１２は、自動車の後部または前部バンパーの表面、ルーフ、またはボンネットである。
【００３４】
図２では、アンテナ１４Ａと、自動車１０の金属部分１６とを示した。アンテナ１４Ａは、外被２２により保護される同軸ケーブル２１からなる供給ポート２０を備えた接続手段１８を含んでいる。外被２２は金属部分１６に固定され、一方で同軸ケーブル２１はアンテナ１４Ａに固定される。
【００３５】
図３を参照すると、アンテナ１４Ａは、モノポールタイプで超広帯域を有する。さらに、アンテナ１４Ａは、予め決められた周波数帯域であるＦＭ帯域で、周波数変調信号を受信および／または送信可能であるように構成されている。アンテナ１４Ａは、予め決められた周波数帯域で−６ｄＢ未満の反射係数を有する。
【００３６】
アンテナ１４Ａは、たとえば銅を含む導電性材料で構成された導電性の支持体２８を備えた放射手段２６を含む。支持体２８は、ＸＹ面にほぼ平行な平面であり、接着性シートの形状を取る。支持体２８は、外側輪郭３０により画定され、全体が細長い形状で、好適には紡錘楕円形をしている。外側輪郭３０は、２つの弓形部分３０Ａ、３０Ｂを有する。支持体２８は、Ｘ方向に沿って延長されている。支持体２８は、ＹＺ面に平行な中央対称面Ｐに対して対称である。
【００３７】
供給ポート２０は、ほぼ５０Ωに等しいインピーダンスを得るように支持体２８に固定される。
【００３８】
支持体２８は、ここでは長さ１０９ｃｍ、幅１７ｃｍであり、従って、その外形寸法は０．１ｍ２より大きく、さらに０．１５ｍ２より大きく、より正確には０．１８ｍ２より大きい、０．１８５３ｍ２である。
【００３９】
図４〜図６では、第２の実施形態による１つまたは複数のアンテナ１４Ｂを示した。図１〜図３に示したものと同じ要素については同じ参照符号を付した。
【００４０】
図４では、３個のアンテナ１４Ｂを含む自動車１０を示した。アンテナ１４Ｂは、横断方向Ｘに沿って一列に並べられている。
【００４１】
図５と図６に示したように、支持体２８は、全体がほぼ半楕円形であり、ＹＺ面に平行な中央対称面Ｐに対して対称である。アンテナ１４Ｂは、支持体２８に設けられていて、共振内側輪郭３４により画定された開口部３２を含む。他方で、アンテナ１４Ｂは、支持体２８に設けられた穴３６（隙間）を含む。穴３６は、共振内側輪郭３４と外側輪郭３０とを結合する輪郭３８により画定される。この場合、開口部３２は、ほぼ円形である。
【００４２】
外側輪郭３０は、Ｘ方向にほぼ平行な１個の部分３０Ａと、２個の弓形部分３０Ｂとを有する。言い換えると、支持体２８の外側輪郭３０は、車両のＸ方向（幅方向）に延びるように構成された直線部３０Ａと、直線部３０Ａの一端と他端とを結ぶように構成された円弧部（２個の弓形部分３０Ｂ、３０Ｂにより構成されている）とを備えている。そして、穴３６（隙間）は、円弧部の中央部に設けられている。また、開口部３２は、外側輪郭３０の円弧部側にオフセットした位置に配置されている。
【００４３】
この実施形態においては、アンテナ１４Ｂは、３６ｃｍ×１５ｃｍの寸法を有する矩形に内接する。そのため、支持体２８の外形寸法は、０．０６ｍ２より小さい０．０５２５ｍ２である。
【００４４】
アンテナ１４Ｂは、ＦＭ帯域の予備決定手段４０を含む。予備決定手段４０は、一方では、ＦＭ帯域の共振周波数Ｆ０の予備決定手段４２を含み、他方では、ＦＭ帯域の帯域幅Δの予備決定手段４４を含む。この場合、予備決定手段４２、４４は、相互に作用し、向かい合った穴３６の輪郭３８の２つの部分３８Ａ、３８Ｂを結合するコンデンサ４６を含んでいる。供給ポート２０は、ほぼ５０Ωに等しいインピーダンスを得るように穴３６を画定する輪郭３８に結合される。
【００４５】
変形実施形態では、アンテナ１４Ｂは、周波数Ｆ０と帯域幅Δの調整手段を含む。この手段によって、アンテナ１４Ｂのユーザは、コンデンサ４６の容量を変更させることができる。
【００４６】
図７と図８には、第３の実施形態によるアンテナ１４Ｃを示した。これまでに示した図と同様の要素には同じ参照符号を付した。
【００４７】
この実施形態においては、支持体２８は、全体として楕円形の四分の一の形をしている。アンテナ１４Ｃは、１９ｃｍ×１５ｃｍの寸法を有する矩形に内接している。そのため、支持体２８の外形寸法は、０．０４ｍ２より小さく、さらには０．０３ｍ２より小さい、０．０２８５ｍ２である。第３の実施形態によるアンテナ１４Ｃは小型であるので、自動車のバックミラーの中に隠すことができる。
【００４８】
輪郭３０は、２個の直線部分３０Ａと１個の弓形部分３０Ｂとを含む。言い換えると、支持体２８の外側輪郭３０は、第１の直線部３０Ｃと、第１の直線部３０Ｃと連結し、直線部３０Ｃと直交する方向に延びる第２の直線部３０Ｄと、第１の直線部３０Ｃと第２の直線部３０Ｄとが連結していない側の端部を結ぶように構成された弓形部分３０Ｂとを備えている。そして、支持体２８の短軸側の直線部分３０Ｃと円弧部３０Ｂとが交わる部分には穴（隙間）３６が設けられている。穴３６は、共振内側輪郭３４と外側輪郭３０Ｃ、３０Ｂとを結合する輪郭３８Ａ、３８Ｂにより画定される。
【００４９】
図９は、第１の実施形態によるアンテナ１４Ａ（曲線Ａ、太い実線）と第２の実施形態によるアンテナ１４Ｂ（曲線Ｂ、太い破線）と、従来技術による超広帯域アンテナ（曲線Ｄ、通常の線）のタイプのアンテナのパラメータＳ１１の変化を周波数に応じて示している（対数目盛）。
【００５０】
従来技術によるアンテナのパラメータＳ１１は、５０ＭＨｚ〜１７０ＭＨｚではほぼゼロであり、１８０ＭＨｚからは−６ｄＢ未満である。そのため、従来技術によるアンテナは、１８０ＭＨｚより高い周波数帯域では性能が良いが、この帯域にはＦＭ周波数帯域が含まれていない。
【００５１】
アンテナ１４ＡのパラメータＳ１１は、８０ＭＨｚから−６ｄＢ未満であり、共振周波数ｆ０，Ａがほぼ１１０ＭＨｚであるＦＭ帯域を有する。そのため、アンテナ１４Ａは、８０ＭＨｚ〜３ＧＨｚの周波数帯域で性能が良い。従って、アンテナ１４Ａは、超広帯域を有し、特にＦＭ周波数帯域をカバーしている。
【００５２】
アンテナ１４ＢのパラメータＳ１１は、ほぼ８８ＭＨｚ〜１１０ＭＨｚに含まれる第１の範囲で、次いで、ほぼ１７０ＭＨｚ〜３ＧＨｚに含まれる第２の範囲で、−６ｄＢ未満である。パラメータＳ１１は、第１の範囲で、共振周波数Ｆ０，Ｂがほぼ１００ＭＨｚに等しいＦＭ帯域を有する。従ってアンテナ１４Ｂは、超広帯域を有し、特にＦＭ周波数帯域をカバーしている。
【００５３】
アンテナ１４Ａ、１４ＢのパラメータＳ１１は、１９０ＭＨｚ〜３ＧＨｚに含まれる周波数範囲では−６ｄＢ未満である。
【００５４】
図１０は、第２の実施形態のタイプのアンテナ１４Ｂ（曲線Ｂ、太い実線）と、開口部３２のない第２の実施形態のタイプのアンテナ１４Ｂ（曲線Ｅ、通常の破線）と、開口部３２も穴３６もない第２の実施形態のタイプのアンテナ１４Ｂ（曲線Ｆ、通常の線）とのパラメータＳ１１の変化を示している。
【００５５】
図１０でパラメータＳ１１を示したアンテナ１４Ｂの支持体２８の外形寸法は０．０６ｍ２より小さい。
【００５６】
開口部３２と穴３６がない場合はＦＭ周波数帯域をカバーすることができない。同様に、穴３６がない場合、開口部３２の存在にもかかわらずＦＭ周波数帯域をカバー可能にするのに十分ではない。従って、開口部３２および穴３６の存在は、外形寸法が所定値、この場合には０．０６ｍ２より小さいときに、アンテナ１４Ｂが予め決められたＦＭ周波数帯域で高い性能を持つようにするのに必要である。図１０に示されたアンテナ１４ＢのパラメータＳ１１は、ほぼ９５ＭＨｚに等しい共振周波数Ｆ０，Ｂをもつ帯域を有する。
【００５７】
図１１は、コンデンサ４６の容量Ｃの様々な値に対するアンテナのパラメータＳ１１の変化を示している。
【００５８】
各アンテナは、ほぼ７０ＭＨｚ〜１００ＭＨｚに含まれるＦＭ周波数範囲に１つの帯域をもつパラメータＳ１１を有する。この範囲にある各帯域は、コンデンサの容量Ｃの値に応じた共振周波数Ｆ０を有する。共振周波数Ｆ０は、容量Ｃの値が増えると減少する。容量４・１０−１２Ｆ、７・１０−１２Ｆ、１・１０−１１Ｆおよび１．３・１０−１１Ｆの場合、周波数Ｆ０，１、Ｆ０，２、Ｆ０，３およびＦ０，４は、それぞれほぼ１０５ＭＨｚ、９８ＭＨｚ、８９ＭＨｚ、および７９ＭＨｚに等しい。従って、コンデンサ４６は、ＦＭ帯域の周波数をカバーする帯域の周波数Ｆ０を予め決定および／または調整することができる。
【００５９】
さらに、帯域幅Δは、容量Ｃの値が増えると減少する。そのため、コンデンサ４６は、ＦＭ帯域の周波数をカバーする帯域の帯域幅Ｆ０を予め決定し、および／または調整することができる。
【００６０】
コンデンサ４６の容量Ｃの変化は、１５０ＭＨｚより大きい周波数範囲をカバーする他の帯域の共振周波数をあまり変えないか、または全く変えない。
【００６１】
図１２は、第２の実施形態によるアンテナ１４Ｂ（曲線Ｂ、太い実線）と、第３の実施形態によるアンテナ１４Ｃ（曲線Ｃ、通常の線）とのパラメータＳ１１の変化を示している。
【００６２】
図９と図１０に同様に示したように、アンテナ１４ＢのパラメータＳ１１は、ほぼ８８ＭＨｚ〜１１０ＭＨｚに含まれる第１の周波数範囲で、次いで、ほぼ１７０ＭＨｚ〜３ＧＨｚに含まれる第２の周波数範囲で、−６ｄＢより小さい。従って、アンテナ１４Ｂは、超広帯域を有し、特にＦＭ周波数帯域をカバーし、この帯域で性能が良い。
【００６３】
アンテナ１４Ｃの支持体２８の外形寸法は０．０３ｍ２より小さい。アンテナ１４ＣのパラメータＳ１１は、ほぼ８７ＭＨｚ〜１１０ＭＨｚに含まれる第１の周波数範囲で、次いで、ほぼ１７０ＭＨｚ〜３６０ＭＨｚに含まれる第２の周波数範囲で、さらに、ほぼ５６０ＭＨｚ〜３ＧＨｚに含まれる第３の周波数範囲で、−６ｄＢより小さい。従って、アンテナ１４Ｃは、超広帯域を有し、特にＦＭ周波数帯域をカバーし、この帯域で性能が良い。
【００６４】
電磁スペクトルは、各種の用途専用の複数の周波数帯域を含む。これらの専用周波数帯域は、地理的ゾーンに応じて著しく変わる。例として、欧州、米国、および日本に対して、ＦＭラジオ、ＤＡＢ（Ｄｉｇｉｔａｌ  Ａｕｄｉｏ  Ｂｒｏａｄｃａｓｔｉｎｇ）、ＴＶ、車両間通信、Ｗｉ−Ｆｉ、および携帯電話のための周波数帯域を表１で示す。
【表１】
2010119746.tif 000003
【００６５】
各アンテナ１４Ａ、１４Ｂ、１４Ｃは、使用可能にすることが望まれる用途に応じて、様々な地理的ゾーンで使用できる。周波数Ｆ０および帯域幅Δの予備決定手段４２、４４により、地理的ゾーンにＦＭ周波数帯域を適合させることができる。
【００６６】
下の表２（第２の実施形態によるタイプのアンテナ）と表３（第３の実施形態によるタイプのアンテナ）は、欧州、米国、および日本の各地理的ゾーンに対して、外形寸法、容量Ｃの値、ならびに、パラメータＳ１１が−６ｄＢより小さい範囲、すなわちアンテナの性能が良い範囲を示している。
【表２】
2010119746.tif 000004
【表３】
2010119746.tif 000005
【００６７】
本出願は、２００９年４月１５日に出願された仏国特許出願第０９５２４７２号に基づく。本明細書中に仏国特許出願第０９５２４７２号の明細書、特許請求の範囲、図面全体を参照として取り込むものとする。
【図１】
2010119746.tif 000006
【図２】
2010119746.tif 000007
【図３】
2010119746.tif 000008
【図４】
2010119746.tif 000009
【図５】
2010119746.tif 000010
【図６】
2010119746.tif 000011
【図７】
2010119746.tif 000012
【図８】
2010119746.tif 000013
【図９】
2010119746.tif 000014
【図１０】
2010119746.tif 000015
【図１１】
2010119746.tif 000016
【図１２】
2010119746.tif 000017
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
超広帯域を有し、反射係数Ｓ１１が−６ｄＢ未満の予め決められた周波数帯域であるＦＭ帯域で、少なくとも周波数変調信号を受信および／または送信可能であるように構成されている、モノポールアンテナであって、
平面である導電性支持体を有する放射手段を含み、
導電性支持体が外側輪郭により画定されており、前記モノポールアンテナが、
導電性支持体に設けられて、共振用の内側輪郭により画定される開口部と、
導電性支持体に設けられて、開口部の共振用の内側輪郭と導電性支持体の外側輪郭とを結合する輪郭により画定される穴とを含む、モノポールアンテナ。
【請求項２】
超広帯域は、帯域の中心周波数の２０％に等しい値の中の最小値、または５００ＭＨｚよりも帯域幅が大きい帯域を有する、請求項１に記載のモノポールアンテナ。
【請求項３】
ＦＭ帯域の共振周波数および／またはＦＭ帯域の帯域幅を予め決定可能な、ＦＭ帯域の予備決定手段を含む、請求項１または２に記載のモノポールアンテナ。
【請求項４】
ＦＭ帯域の共振周波数および／またはＦＭ帯域の帯域幅を調整可能な、ＦＭ帯域の調整手段を含む、請求項１または２に記載のモノポールアンテナ。
【請求項５】
ＦＭ帯域の予備決定手段が、向かい合った穴の輪郭の２つの部分を結合するコンデンサを含む、請求項３に記載のモノポールアンテナ。
【請求項６】
ＦＭ帯域の調整手段が、向かい合った穴の輪郭の２つの部分を結合するコンデンサを含む、請求項４に記載のモノポールアンテナ。
【請求項７】
穴の輪郭に結合される供給ポートを備えた、モノポールアンテナの接続手段を含む、請求項１から６のいずれか一項に記載のモノポールアンテナ。
【請求項８】
導電性支持体の外形寸法が、０．１ｍ２より大きい、請求項１から７のいずれか一項に記載のモノポールアンテナ。
【請求項９】
導電性支持体の外形寸法が、０．０６ｍ２より小さい、請求項１から７のいずれか一項に記載のモノポールアンテナ。
【請求項１０】
車両用のプラスチック材料の要素と、このプラスチック材料の要素に取り付けられる請求項１から９のいずれか一項に記載のモノポールアンテナとを備えるアンテナアセンブリ。
【請求項１１】
請求項１から９のいずれか一項に記載の少なくとも１つのモノポールアンテナまたは請求項１０に記載のアンテナアセンブリを含む車両。
【国際調査報告】
2010119746.tif 000018
2010119746.tif 000019
2010119746.tif 000020
2010119746.tif 000021